(57)【特許請求の範囲】
【請求項１】
蓋体の裏面に化粧用鏡を脱着可能に付設したコンパクト容器において、前記蓋体は、蓋板と前記蓋板の裏面に接着して前記化粧用鏡の収容部を形成する枠体とからなり、前記枠体の接着板部の裏面を前記蓋板の裏面に接着し且つ他の部分を前記蓋板と当接状態に保持して前記収容部内に凹段部を形成すると共に前記収容部における前記接着板部と直交方向の各対向側に上端辺を前記化粧用鏡の一側端部が係合する係止突条とした弾性板部を形成し、且つ前記弾性板部の内側の中央部に１乃至複数の突起を設けて前記化粧用鏡で前記弾性板部を水平方向へ押圧することにより前記弾性板部が撓んで前記化粧用鏡をスライド可能としたことを特徴とするコンパクト容器。
【請求項２】
前記接着板部を収容部内側の一側から対向側に亘って一体に架設したことにより、接着板部の左右両側に収容部の凹段部が形成され、前記化粧用鏡を取り外す際のスライド方向を二方向としたことを特徴とする請求項１記載のコンパクト容器。
【請求項３】
前記接着板部の三側方に収容部の凹段部が形成されて接着板部を収容部内側の一側から片持ちに設け、前記接着板部の先端と対向する側に上端辺を係止突条とした弾性板部を形成したことを特徴とする請求項１記載のコンパクト容器。
【発明の詳細な説明】
【０００１】
【発明の属する技術分野】
本発明は、蓋体の裏面に化粧用鏡を付設したコンパクト容器に関するものであり、詳しくは、廃棄する際に、付設した化粧用鏡を蓋体から容易に分離することができるコンパクト容器に関する。
【０００２】
【従来技術】
従来、コンパクト容器の化粧用鏡は、一般的にはガラスで形成されていて、合成樹脂製の蓋体の頂壁裏面に形成された浅い凹没面内に両面接着テープで接着したり、美麗な外観を呈する合成樹脂製の枠体を蓋体の頂壁裏面に額状に熱融着させて化粧用鏡を凹没面に固定している。
【０００３】
近年、ごみの分別収集と資源としての再利用の観点から、使用者が複数の材質から成る容器を廃棄する際に、容器を材質別に分離できることが課題となっている。例えば、特開２０００−１５７３３１号公報や特開２０００−１８９２４０号公報には、蓋体の頂壁裏面にガラス製の化粧用鏡を合成樹脂製の枠体を用いて固定すると共に、合成樹脂製の蓋体とは異材質である化粧用鏡を蓋体の頂壁裏面から比較的容易に分離できるようにした提案がなされている。
【０００４】
【発明が解決しようとする課題】
しかしながら、上記従来例における枠体を使用した化粧用鏡を分離可能とする蓋体は、その枠体に化粧用鏡を分離操作するための指掛け板のような脱着機構を機能本位に形成してあることから、視覚的に特異な形状を呈しており、美観を重視する為に枠体を使用するコンパクト容器としては意匠的に欠点があった。
【０００５】
本発明は、上記の問題に鑑みてなされたもので、蓋体の構成に枠体を使い美麗にして且つ化粧用鏡を容易に分離できるものにすることにある。
【０００６】
【課題を解決するための手段】
本発明は、蓋体の裏面に化粧用鏡を脱着可能に付設したコンパクト容器において、前記蓋体は、蓋板と前記蓋板の裏面に接着して前記化粧用鏡の収容部を形成する枠体とからなり、前記枠体の接着板部の裏面を前記蓋板の裏面に接着し且つ他の部分を前記蓋板と当接状態に保持して前記収容部内に凹段部を形成すると共に前記収容部における前記接着板部と直交方向の各対向側に上端辺を前記化粧用鏡の一側端部が係合する係止突条とした弾性板部を形成し、且つ前記弾性板部の内側の中央部に１乃至複数の突起を設けて前記化粧用鏡で前記弾性板部を水平方向へ押圧することにより前記弾性板部が撓んで前記化粧用鏡をスライド可能とした。
【０００７】
化粧用鏡の脱着機構を撓み可能に接着した枠体の下面に設けたことで、化粧用鏡の脱着機構を有し枠体本来の美麗な外観を呈する蓋体とすることができる。また、廃棄の際、化粧用鏡を蓋体から離脱させるには、化粧用鏡で弾性板部を水平方向へ押圧することにより、枠体の弾性板部を撓ませて化粧用鏡をスライドさせ、更に化粧用鏡のスライド方向側の部分を収容部の凹段部に押し付ける。この操作により化粧用鏡のスライド方向側と反対側の係止突条のアンダーカット係合が解除され、化粧用鏡を容易に蓋体から離脱させることができる。
【０００８】
また、接着板部を収容部内側の一側から対向側に亘って一体に架設したことにより、接着板部の左右両側に収容部の凹段部が形成され、化粧用鏡を取り外す際のスライド方向を二方向とすることかできる。
【０００９】
また、接着板部を収容部内側の一側から片持ちに設け、前記接着板部の先端と対向する側に上端辺を係止突条とした弾性板部を形成したことにより、接着板部の三側方に収容部の凹段部が形成され、化粧用鏡を取り外す際のスライド方向を三方向とすることかできる。
【００１０】
【発明の実施の形態】
以下、本発明の好適な実施の形態を添付図面を参照しながら詳細に説明する。
【００１１】
図１乃至図５は、本発明のコンパクト容器の第一の実施の形態を示しており、化粧皿４に収納された化粧料２及び前記化粧料２上面にパフを戴置して収納した函状の容器本体１と、異材質である化粧用鏡５を脱着可能に付設した前記容器本体１の上面を被覆する蓋体１０とを各後端部で蝶番ピン６を用いて蝶着して構成されている。
【００１２】
図３以下は、本発明のコンパクト容器の蓋体１０を裏返して仰向けにした状態を示しており、蓋体１０は、周壁１１ａを有する浅い皿状に形成されて該蓋体１０の天板部を形成する蓋板１１と、該蓋板１１の裏面に接着されて前記化粧用鏡５の収容部１６を形成する枠体１５とから構成されている。
【００１３】
蓋板１１裏面には、枠体１５の位置を決める位置決めリブ１２、１２が平行して突設されており、位置決めリブ１２、１２間のスペースには枠体１５を接着する為の薄いシート状の両面接着テープ１３が張り付けられており、蓋板１１と枠体１５とは該両面接着テープ１３でこの部分で面接着され、他の部分は当接状態に保持されている。
【００１４】
枠体１５は、周壁部１５ａと面板部１５ｂを有し、前端部にフック１７が設けられていると共に、後端部には前記フック１７と対向して蓋体１０側の蝶番１８が設けられている。
【００１５】
また、枠体１５の面板部１５ｂの内側、即ち収容部１６側部のフック１７のある側から対向する蝶番板１８のある側に亘って前記位置決めリブ１２、１２間とほぼ同じ幅の接着板部１９が一体に架設されている。この接着板部１９を蓋板１１裏面の位置決めリブ１２、１２間に位置決めして両面接着テープ１３によって接着することにより、蓋板１０の下面を枠体１５の面板部１５ｂで非接着状態に覆って蓋体１０を構成し、蓋体１０の収容部１６内にあって接着板部１９の左右両側に凹段部２０、２０を形成している。
【００１６】
尚、本実施の形態では、蓋板１１枠体１５とを両面接着テープ１３を用いて接着したが、接着手段はこれに限定されるものではなく、接着剤や超音波融着等の公知の接着手段によって接着してもよい。
【００１７】
また、収容部１６における接着板部１９と直交方向の各対向側には、面板部１５ｂの上端辺を化粧用鏡５の一側端部が係合する係止突条２１ａ、２１ｂとした断面形状が略カギ状を呈する弾性板部２２ａ、２２ｂが形成されており、弾性板部２２ａ、２２ｂの部分は蓋板１１とは当接状態にあることから、対向する水平方向へ撓み可能とされている。また、この弾性板部２２ａ、２２ｂ内側の中央部には化粧用鏡５の側端が当接して弾性板部２２ａ、２２ｂの撓みを発生させる為の突起２３、２３が突設されている。
【００１８】
収容部１６内に収容された化粧用鏡５は、その裏面が接着板部１９の表面に当接すると共にその両側端部５ａ、５ｂが係止突条２１ａ、２１ｂにアンダーカット状に係合して装着されている。
【００１９】
利用者が使用を終わってコンパクト容器を分別廃棄するために化粧用鏡５を蓋体１０から分離する場合には、図５（ａ）の蓋体１０の状態から、化粧用鏡５の上面左右何れか一方部を指先の腹で押さえ、図５（ｂ）に示すように、化粧用鏡５の側端で弾性板部２２ｂを水平方向へ押圧する。
【００２０】
この操作により、化粧用鏡５が僅かにスライドすると共に押圧された弾性板部２２ｂはその突起２３のほぼ突出距離だけ化粧用鏡５のスライド方向へ撓み、スライド方向とは反対側に位置する弾性板部２２ａの係止突条２１ａと化粧用鏡５とのアンダーカット係合が解除される。
【００２１】
その状態のまま化粧用鏡５の操作位置部分を収容部１６の底面の凹段部２０ｂ側へ押し付ける操作をすると、図５（ｃ）に示すように、化粧用鏡５の反対側が跳ね上がる。従って、化粧用鏡５を容易に蓋体１０の裏面から離脱させることができる。
【００２２】
また、コンパクト容器の組立工程において化粧用鏡５を蓋体１０に取り付ける場合は、上記の分離操作と反対の操作をすればよい。即ち、弾性板部２２の係止突条２１に化粧用鏡５の一側端部を係合させ、化粧用鏡５の側端で弾性板部２２を水平方向へ押圧し、スライドする化粧用鏡５の表面を押さえ込んで収容部１６内に収容し、化粧用鏡５への圧力を解除すれば弾性板部２２の弾性復帰力で化粧用鏡５は復帰方向へスライドし、化粧用鏡５のもう一側端部が復帰スライドする側に位置する係止突条２１にアンダーカット係合する。
【００２３】
上述したように、化粧用鏡５の脱着機構を枠体１５の裏面に構成し、従来の枠体を使用した脱着機構に見られるような枠体１５の表面を機能本位とした特異な形状とする必要がないことから、蓋体１０の化粧用鏡５周りを枠体１５によって美麗にデザインすることができる。
【００２４】
図６乃至図７は、別の蓋体による実施の形態を示しており、基本的には既述した実施の形態と同様であるので、図において、先の実施の形態と共通する部分については同一符号を付しその説明を省略する。
【００２５】
この蓋体１０は、枠体１５の接着板部１９を収容部内側の蝶番１８側から片持ち式に設けて接着板部１９の三側方に収容部１６の凹段部２０ａ、２０ｂ、２０ｃを形成し、接着板部１９の先端と対向する側に上端辺を係止突条２１ｃとした弾性板部２２ｃを形成して化粧用鏡５を取り外す際のスライド方向を左右及び前方の三方向としたものである。
【００２６】
従って、利用者が化粧用鏡５を分離する場合には、化粧用鏡５上面の左右及び前方何れか一方部を指先で押さえ、押さえた側の弾性板部の方向へ水平へスライドさせると共に、その状態のまま化粧用鏡５の操作位置部分を凹段部２０側へ押し付ければよい。本実施の形態では、スライド操作できる方向が更に増えて化粧用鏡５を極めて容易に取り外すことができる。
【００２７】
【発明の効果】
本発明は、以上説明したような形態で実施され、以下に記載されるような効果を奏する。
【００２８】
本発明によれば、枠体によって化粧用鏡の脱着機構が形成された収容部内において、コンパクト容器の蓋体に対して異材質の化粧用鏡をスライドさせるだけで脱着できるようにしたので、コンパクト容器の廃棄時における材質別の分別を容易に行うことができる。
【００２９】
しかも、化粧用鏡の脱着機構が目にふれることのない枠体の裏面にシンプルに構成されていることから、蓋体の化粧用鏡周りが枠体によって美麗にデザインされた見映えの良いコンパクト容器とすることができる。
【図面の簡単な説明】
【図１】本発明のコンパクト容器の実施の形態を示す断面図。
【図２】図１のコンパクト容器のＡ−Ａ矢視方向を示す断面図。
【図３】図１のコンパクト容器における蓋体を仰向けにした化粧用鏡を取り付けていない状態を示す平面図。
【図４】図１のコンパクト容器における蓋体を仰向けにした状態を示す分解斜視図。
【図５】図１の蓋体における化粧用鏡を分離させる工程を示すもので、（ａ）は化粧用鏡が装着された仰向け状態の蓋体の縦断面図、（ｂ）は化粧用化鏡をスライドさせた状態を示す縦断面図、（ｃ）は化粧用化鏡を取り外せる状態を示す縦断面図。
【図６】別の実施の形態を示す断面図。
【図７】図６のコンパクト容器のＢ−Ｂ矢視方向を示す断面図。
【符号の説明】
１  容器本体，５  化粧用鏡，１０  蓋体，１１  蓋板，１２  位置決めリブ，１５  枠体，１６  収容部，２０ａ、２０ｂ、２０ｃ  凹段部，２１ａ、２１ｂ、２１ｃ  係止突条，２２ａ、２２ｂ、２２ｃ  弾性板部，２３、２３  突起，
【図１】
0005185482.tif 000002
【図２】
0005185482.tif 000003
【図３】
0005185482.tif 000004
【図４】
0005185482.tif 000005
【図５】
0005185482.tif 000006
【図６】
0005185482.tif 000007
【図７】
0005185482.tif 000008